(57)【特許請求の範囲】
【請求項１】
浴室の周壁の一部が、浴室内に配置するカウンターパネルの垂直面で形成された浴室における浴室パネルの固定構造であって、上記カウンターパネルの垂直面と面一の位置に一方の固定金具が取り付けられ、この一方の固定金具の嵌合部と嵌合する角筒状の他方の固定金具が壁パネルの背面側の側辺部に縦方向に延びて設けられ、上記の一方の固定金具が、カウンターパネルに螺着されるプレート部と、このプレート部に形成された上記の嵌合部とでなり、上記の他方の固定金具が、上記嵌合部の首部と係合し嵌合部を縦方向に案内するスリットを備えると共に、このスリットが形成された面の板厚が首部の長さと同一に選定され、又他方の固定金具のスリットが形成された面に、一方の固定金具の嵌合部を挿通させる透孔がその中心をスリットの中心位置に合わせてスリットと連通状に形成され、嵌合させた上記の各固定金具を介して上記カウンターパネルと壁パネルとが固定されることを特徴とする浴室パネルの固定構造。
【請求項２】
請求項１記載の浴室パネルの固定構造であって、一方の固定金具がカウンターパネルに取り付けられるのに代え、壁パネルの背面側の側辺部に取り付けられ、他方の固定金具が壁パネルに設けられるのに代え、カウンターパネルの垂直面と面一の位置に縦方向に延びて設けられたことを特徴とする浴室パネルの固定構造。
【請求項３】
一方の固定金具が、一枚の板が折り曲げられて形成されたことを特徴とする請求項１又は２記載の浴室パネルの固定構造。
【発明の詳細な説明】
【０００１】
【発明の属する技術分野】
本発明は、浴室パネルの固定構造に関し、更に詳しくは浴室内に配置するカウンターパネルと壁パネルとを、簡単、迅速、堅固に、又密着性良く固定できるよう形成した浴室パネルの固定構造に関する。
【０００２】
【従来の技術】
通常、浴室ユニットは、床パンに壁パネルを載せ、更に天井パネルを載置して構成される。例えば図１２に示されるような出窓付き浴室においては、床パン６の上に壁パネル５と、垂直面１ａが浴室の周壁の一部を形成するカウンターパネル１が載置され、カウンターパネル１の上には出窓部８が載置され、更に全体を覆うように天井パネル９が載置されている。
従来、このような出窓付き浴室におけるカウンターパネル１の固定は、図１３Ａに示されるように、カウンターパネル１を床パン６に断面Ｌ字形の金具７でネジ止めし、その後カウンターパネル１と壁パネル５とを当接させる方法が採られていた。
【０００３】
【発明が解決しようとする課題】
ところでカウンターパネルや壁パネルは、通常、浴室ユニットの主要なパネルであり、その接合面は洗い場回りの比較的目につき易い位置に配置されることから、この種パネルは垂直位置、水平位置出しを確実、正確、迅速にでき、固定作業を簡便化、迅速化でき、堅固に且つ両パネルの接合面に隙間ができないよう、固定できるのが望ましい。
【０００４】
しかるに従来は、カウンターパネルと床パンとがＬ字形の金具で固定され、カウンターパネルと壁パネルとは一般に固定されず、固定される場合は上記のＬ字形金具によるのが通例であった。従って従来例によると、例えば出窓の奥行（図１２の寸法ア参照）が大きくなると、カウンターパネルの固定強度が不十分になり易く、この種パネルの固定作業に手間暇がかかり、壁パネルとの間に隙間が発生し易くなる、という問題があった。
【０００５】
即ち、この種パネルは固定作業中に起立させると、バランスが悪いため、図１３Ｂに示されるように傾倒し易かった。
その結果従来は、上記の金具が屈曲し、カウンターパネルの垂直位置、水平位置が不正確になったり、床パンとのネジ止め箇所を損壊させて固定状態を弱めたり、更にはカウンターパネルと壁パネルとの接合面に隙間ができ易くなった。
【０００６】
本発明は、このような従来の問題点を解消しようとするものである。
従って本発明の技術的課題は、出窓の奥行寸法に関係なく、カウンターパネルの垂直、水平位置出しを確実、正確、迅速にでき、カウンターパネルと壁パネルとの組立てを簡便化、迅速化でき、又カウンターパネルと壁パネルとを堅固に、且つ両パネルの接合面が密着性の良い状態で固定できるよう形成した浴室パネルの固定構造を提供することにある。
【０００７】
【課題を解決するための手段】
本発明は、上記の課題を解決するために次のような技術的手段を採る。
即ち本発明は、浴室の周壁の一部が、浴室内に配置するカウンターパネル１の垂直面１ａで形成された浴室における浴室パネルの固定構造であって、上記カウンターパネル１の垂直面１ａと面一の位置に一方の固定金具２が取り付けられ、この一方の固定金具２の嵌合部２ｂと嵌合する角筒状の他方の固定金具４が壁パネル５の背面側の側辺部に縦方向に延びて設けられ、上記の一方の固定金具２が、カウンターパネル１に螺着されるプレート部２ａと、このプレート部２ａに形成された上記の嵌合部２ｂとでなり、上記の他方の固定金具４が、上記嵌合部２ｂの首部２ｃと係合し嵌合部２ｂを縦方向に案内するスリット４ａを備えると共に、このスリット４ａが形成された面４ｂの板厚が首部２ｃの長さと同一に選定され、又他方の固定金具４のスリット４ａが形成された面４ｂに、一方の固定金具２の嵌合部２ｂを挿通させる透孔４ｃがその中心をスリット４ａの中心位置に合わせてスリット４ａと連通状に形成され、嵌合させた上記の各固定金具２、４を介して上記カウンターパネル１と壁パネル５とが固定されることを特徴とする（請求項１）。
【０００８】
従って本発明の場合は、現場でカウンターパネル１に一方の固定金具２を取り付け、この一方の固定金具２と他方の固定金具４とを嵌合操作するだけで、出窓の奥行寸法に関係なく、カウンターパネル１の垂直、水平の位置出しを確実、正確、迅速にでき、カウンターパネル１と壁パネル５とを、簡単、迅速に、又従来のＬ字形金具のみを用いる場合に比べ、堅固に、且つ両パネルの接合面を密着させた状態で固定できる。
【０００９】
カウンターパネル１と壁パネル５との接続、固定を、図１４に示されるような連結金具ａを用いる、通常の壁パネル同士の接続、固定の場合と同様にすると、同図に示されるように壁パネル５の裏側の金具ｂの位置を壁パネル５の側辺部からずらしたり（なおｃはカウンターパネル１に取り付けた金具である）、或は図１５のようにカウンターパネル１の垂直面１ａの側部ｄをクランク形に形成する必要がある。
【００１０】
従って図１４の場合は、金具ｂの位置を側辺部からずらした専用の壁パネル５を新たに用意しなければならないから、これによると壁パネル５の種類が増え、仕様間違いによる工期遅れや在庫管理の煩雑さが発生する。
又図１５の固定構造の場合は、側部ｄをクランク形に形成する必要がある分、成形品であるカウンターパネル１の成形型が複雑になり、成形不良が発生し易く、型費も高く付くことになる。
【００１１】
本発明の場合は、このような不利益を一掃でき、簡単且つ確実にカウンターパネル１と壁パネル５とを固定でき、又強度も高く確保できるものである。
【００１２】
又この場合は、図３に示されるように、嵌合部２ｂに透孔４ｃを合わせて透孔４ｃを介して嵌合部２ｂを他方の固定金具４の中に入れ、その後、壁パネル５を引き降ろすことで、カウンターパネル１と壁パネル５とを固定できる。
従ってこの場合は、例えば他方の固定金具４の下端の開口４ｄから嵌合部２ｂを嵌合させる場合に比べ、壁パネル５を持ち上げる高さが低くて済む分、カウンターパネル１と壁パネル５との固定作業を簡単且つ楽にできる。
【００１３】
又本発明の場合、透孔４ｃは、図１１Ａに示されるように、縦方向に延びた長孔状に形成されるのでも良い。
この場合は、図４等に示される一方の固定金具２との、透孔４ｃを介しての嵌合操作が可能になる。
【００１４】
又本発明の場合、上記のスリット４ａは、他方の固定金具４の縦方向にわたって長く形成される必要はなく、図１１Ｂに示されるように、透孔４ｃと組み合わされ、スリット４ａが短く形成されるのでも良い。
この実施形態では、スリット４ａと透孔４ｃとが組み合わされ、ダルマ孔状の開口が面４ｂに形成された場合である。
【００１５】
而して本発明は、一方の固定金具２がカウンターパネル１に取り付けられるのに代え、壁パネル５の背面側の側辺部に取り付けられ、他方の固定金具４が壁パネル５に設けられるのに代え、カウンターパネル１の垂直面１ａと面一の位置に縦方向に延びて設けられるのでも良い（請求項２）。
【００１６】
更に本発明の場合、一方の固定金具２は、プレート部２ａと嵌合部２ｂとが別体に形成される場合（図１の状態参照）には限られず、その他例えば図４〜図８に示されるように、一枚の板が折り曲げられて形成されるのでも良い（請求項３）。
【００１７】
この場合は、プレート部２ａと嵌合部２ｂとが別々に形成された場合に比べ、一枚の板金をプレス金型で単に折り曲げたり（図４、図７、図８の場合）、或は切り込みを入れて折り曲げることで（図５、図６の場合）、一方の固定金具２を形成できるから、一方の固定金具２の製造を、簡単、安価にできる、という利点がある。
【００１８】
又本発明の一方の固定金具２は、その他例えば鋳物等の成型法でプレート部２ａと嵌合部２ｂとが一体状に形成されるのでも良い（図９参照）。同図に示される実施形態は、嵌合部２ｂが断面Ｔ字状に、プレート部２ａと一体成型された場合である。
【００１９】
而して本発明の一方の固定金具２が、図４〜図６、及び図９に示されるように形成された場合は、嵌合部２ｂが首部２ｃを介して左右方向に延びた状態に形成されているから、例えば図１０に示されるように、他方の固定金具４と安定した状態で嵌合でき、カウンターパネル１と壁パネル５との固定状態をより堅固にできる。
【００２０】
【発明の実施の形態】
以下、本発明の好適な一実施形態を添付図面に従って説明する。
図１〜図３、及び図１２において、１は、浴室内に配置する例えば出窓形成用の断面Ｌ字形のカウンターパネルである。
又２は、このカウンターパネル１の垂直面１ａに取り付けられた一方の固定金具である。この固定金具２は、この実施形態ではカウンターパネル１の垂直面１ａと面一の位置に取り付けられている。
【００２１】
上記一方の固定金具２は、カウンターパネル１に螺着されるプレート部２ａと、このプレート部２ａに形成された嵌合部２ｂとでなる。この実施形態の場合、プレート部２ａは、断面Ｌ字状に折り曲げられた縦長の鋼板で形成されている。又嵌合部２ｂは、ジョイントビス状に形成され、プレート部２ａの外面の上下位置に、垂線を同一にして上下一対状に形成されている。なお３は、止めネジである。
【００２２】
４は、一方の固定金具２の嵌合部２ｂと嵌合する他方の固定金具である。この他方の固定金具４は、本発明では角筒状に形成され、壁パネル５の背面側の側辺部に縦方向に延びて設けられている。なお６は、床パンである。
【００２３】
上記の他方の固定金具４は、この本発明では図示されるように、上記嵌合部２ｂの首部２ｃと係合し、嵌合部２ｂを縦方向に案内するスリット４ａを備えてなる。又この他方の固定金具４は、スリット４ａが形成された面４ｂの板厚が首部２ｃの長さと同一に選定されている。
【００２４】
４ｃは、一方の固定金具２の嵌合部２ｂを挿通させる透孔である。この透孔４ｃは、他方の固定金具４のスリット４ａが形成された面４ｂに、その中心をスリット４ａの中心位置に合わせてスリット４ａと連通状に形成されている。
【００２５】
而してこの実施形態の本発明の場合、作業者は施工現場で先ずカウンターパネル１の垂直面１ａに一方の固定金具２を取り付け、次にこの一方の固定金具２の首部２ｃと他方の固定金具４のスリット４ａとが係合するよう、他方の固定金具４と嵌合部２ｂとを嵌合させ、壁パネル５を引き降ろして固定する。
具体的には、カウンターパネル１の垂直面１ａと面一の位置に、一方の固定金具２をその嵌合部２ｂが垂直になるよう取り付け、次に作業者は壁パネル５を持ち上げ、透孔４ｃを介して嵌合部２ｂを他方の固定金具４の中に通す。そして作業者は、壁パネル５を引き降ろし、カウンターパネル１と壁パネル５とを固定する。
【００２６】
本発明の場合は、他方の固定金具４のスリット４ａが形成された面４ｂの板厚が、上記の通り、一方の固定金具２の首部２ｃの長さと同一に選定されている。
従って本発明では、一方の固定金具２と他方の固定金具４とを嵌合させると、壁パネル５とカウンターパネル１とは、がたつくことなく、堅固に固定される。
なお本発明は、従来のＬ字形金具の使用を妨げるものではなく、Ｌ字形金具が併用されるのでも良い。
【００２７】
【発明の効果】
以上説明したように本発明の場合は、現場でカウンターパネルに一方の固定金具を取り付け、この一方の固定金具と他方の固定金具とを嵌合操作するだけで、カウンターパネルと壁パネルとを固定できるものである。
【００２８】
従って本発明によれば、出窓の奥行寸法に関係なく、カウンターパネルの垂直位置、水平位置出しを確実、正確、迅速にでき、カウンターパネルと壁パネルとを簡単、迅速に固定でき、従来のＬ字形金具のみを用いる場合に比べ、堅固に、且つ両パネルの接合面を密着させた状態で固定できる。
【００２９】
又本発明の場合は、一方の固定金具がカウンターパネルの垂直面と面一の位置に取り付けられ、他方の固定金具が壁パネルの背面側の側辺部に設けられ、しかも上記の通り、嵌合させた両パネルのがたつきを防止できるよう形成されているから、これによれば上記の効果だけではなく、従来のカウンターパネルや壁パネルをそのまま利用して簡単、堅固に固定できる、という効果がある。
【図面の簡単な説明】
【図１】本発明構造の好適な一実施形態を示し、Ａは要部正面図、ＢはＡのＢーＢ線断
面図である。
【図２】同上構造の要部斜視図である。
【図３】固定作業を示す要部正面図である。
【図４】一方の固定金具の他の実施形態を示す斜視図である。
【図５】一方の固定金具の他の実施形態を示す斜視図である。
【図６】一方の固定金具の他の実施形態を示す斜視図である。
【図７】一方の固定金具の他の実施形態を示す斜視図である。
【図８】一方の固定金具の他の実施形態を示す斜視図である。
【図９】一方の固定金具の他の実施形態を示す斜視図である。
【図１０】図４に示す一方の固定金具の嵌合状態を示す要部斜視図である。
【図１１】Ａ、Ｂとも他方の固定金具の他の実施形態を示す要部正面図である。
【図１２】浴室ユニットの構成を示す要部斜視図である。
【図１３】従来例を示し、Ａは要部正面図、Ｂはカウンターパネルの傾倒状態を示す要部
正面図である。
【図１４】カウンターパネルと壁パネルとの固定例を示す上から見た要部断面図である。
【図１５】カウンターパネルと壁パネルとの固定例を示す上から見た要部断面図である。
【符号の説明】
１    カウンターパネル
１ａ  垂直面
２    一方の固定金具
２ａ  プレート部
２ｂ  嵌合部
２ｃ  首部
４    他方の固定金具
４ａ  スリット
４ｂ  スリットが形成された面
５    壁パネル
【図１】
0003567724.tif 000002
【図２】
0003567724.tif 000003
【図３】
0003567724.tif 000004
【図４】
0003567724.tif 000005
【図５】
0003567724.tif 000006
【図６】
0003567724.tif 000007
【図７】
0003567724.tif 000008
【図８】
0003567724.tif 000009
【図９】
0003567724.tif 000010
【図１０】
0003567724.tif 000011
【図１１】
0003567724.tif 000012
【図１２】
0003567724.tif 000013
【図１３】
0003567724.tif 000014
【図１４】
0003567724.tif 000015
【図１５】
0003567724.tif 000016